【手続補正書】
【提出日】平成19年2月15日(2007.2.15)
【手続補正１】
【補正対象書類名】特許請求の範囲
【補正対象項目名】全文
【補正方法】変更
【補正の内容】
【特許請求の範囲】
【請求項１】
有声または無声信号からのウィンドノイズを抑制するシステムであって、
入力信号からウィンドバフェットを検出およびモデリングするノイズ検出器と、
該入力信号から該ウィンドバフェットを実質的に除去するために、該ノイズ検出器と電気的に接続されるノイズ減衰器と
を備える、システム。
【請求項２】
前記ノイズ検出器は、ラインを前記入力信号の一部分にモデリングする、請求項１に記載のウィンドノイズを抑制するシステム。
【請求項３】
前記ノイズ検出器は、ラインをＳＮＲ領域における前記入力信号の一部分にフィッティングさせるように構成される、請求項２に記載のシステム。
【請求項４】
前記ノイズ検出器は、信号オフセットを計算することによって、前記ウィンドバフェットをモデリングするように構成される、請求項１に記載のシステム。
【請求項５】
前記ノイズ検出器は、前記モデリングされたウィンドバフェットの属性がそれぞれの平均値を超過することを防止するように構成される、請求項１に記載のシステム。
【請求項６】
前記ノイズ検出器は、母音または調和のような構造が検出された場合、ウィンドバフェット補正を制限するように構成される、請求項１に記載のシステム。
【請求項７】
前記ノイズ検出器は、平均ウィンドバフェットモデルを導出するように構成され、母音または混合音声信号が検出された場合、該平均ウィンドバフェットモデルは更新されない、請求項１に記載のシステム。
【請求項８】
前記ノイズ検出器は、以前に解析された、他のモデリングされた信号の重みつけ平均によって導出される、平均ウィンドバフェットモデルを導出するように構成される、請求項１に記載のシステム。
【請求項９】
前記ノイズ減衰器は、前記ウィンドバフェットおよび連続的ノイズを前記入力信号から実質的に除去するように構成される、請求項１に記載のシステム。
【請求項１０】
信号パワーの大幅な増大が低周波数範囲において検出された場合、低周波数範囲の信号パワーを緩和するために、前記ノイズ検出器およびノイズ減衰器と電気的に接続された残留減衰器をさらに備える、請求項１に記載のシステム。
【請求項１１】
前記ノイズ検出器と電気的に接続された入力デバイスであって、音波をアナログ信号に変換するように構成される、入力デバイスをさらに備える、請求項１に記載のシステム。
【請求項１２】
前記ノイズ検出器に接続された事前処理システムであって、前記ウィンドノイズ検出器が前記入力信号を処理する前に、該入力信号を事前調整するように構成される、事前処理システムをさらに備える、請求項１に記載のシステム。
【請求項１３】
前記事前処理システムは、第１および第２のマイクロホンであって、間隔が空いており、異なった検出器に到達し得る信号の遅延時間を活用するように構成される、第１および第２のマイクロホンを備える、請求項１２に記載のシステム。
【請求項１４】
前記入力信号におけるノイズの最小量を感知するマイクロホンおよびチャネルを自動的に選択する制御ロジックをさらに備える、請求項１３に記載のシステム。
【請求項１５】
前記ノイズ検出器および前記第１のマイクロホンに接続される第２のノイズ検出器をさらに備える、請求項１３に記載のシステム。
【請求項１６】
有声および無声信号からウィンドノイズを検出するシステムであって、
時間変化入力信号を周波数領域に変換する時間周波数変換ロジックと、
該時間周波数変換ロジックに接続されたバックグラウンドノイズ推定器であって、該バックグラウンドノイズ推定器は、受信器の近傍で発生する連続的ノイズを測定するように構成される、バックグラウンドノイズ推定器と、
該バックグラウンドノイズ推定器に接続されたウィンドノイズ検出器であって、該ウィンドノイズ検出器は、ウィンドと関連したノイズを自動的に識別およびモデリングするように構成される、ウィンドノイズ検出器と
を備えるシステム。
【請求項１７】
過渡信号が検出された場合、前記バックグラウンドノイズ検出器をディセーブルにするように構成される過渡検出器をさらに備える、請求項１６に記載のシステム。
【請求項１８】
前記ウィンドノイズ検出器は、前記ラインと、前記入力信号の一部分との間の相関を導出するように構成される、請求項１６に記載のシステム。
【請求項１９】
前記ウィンドノイズ検出器に接続された信号ディスクリミネータであって、該信号ディスクリミネータは、前記入力信号の音声およびノイズセグメントをマーキングするように構成される、信号ディスクリミネータをさらに備える、請求項１６に記載のシステム。
【請求項２０】
前記ウィンドノイズ検出器に接続されたウィンドノイズ減衰器であって、該ウィンドノイズ減衰器は、受信器によって感知されたウィンドに関連したノイズを低減するように構成される、ウィンドノイズ減衰器をさらに備える、請求項１６に記載のシステム。
【請求項２１】
前記ノイズ減衰器は、前記入力信号からウィンドに関連した前記ノイズを実質的に除去するように構成される、請求項１６に記載のシステム。
【請求項２２】
低周波数範囲において信号パワーの大幅な増大が検出された場合、低周波数範囲の信号パワーを緩和するように動作可能な前記バックグラウンドノイズ検出器に接続された残留減衰器をさらに備える、請求項１６に記載のシステム。
【請求項２３】
音声または無声信号からのウィンドノイズを抑制するシステムであって、
時間変化入力信号を周波数領域に変換する時間周波数変換ロジックと、
該時間周波数変換ロジックに接続されたバックグラウンドノイズ推定器であって、該グラウンドノイズ推定器は、受信器の近傍で発生する連続的ノイズを測定するように構成される、バックグラウンドノイズ推定器と、
該バックグラウンドノイズ推定器に接続されたウィンドノイズ検出器であって、該ウィンドノイズ検出器は、ラインを入力信号の一部分にフィッティングさせるように構成される、ウィンドノイズ検出器と、
該ウィンドノイズ検出器手段に接続されたウィンド減衰器であって、該ウィンド減衰器は、該受信器によって感知されたウィンドと関連したノイズを除去するように構成される、ウィンド減衰器と
を備える、システム。
【請求項２４】
入力信号におけるウィンドバフェットを緩和する方法であって、
時間変化信号を複素スペクトルに変換するステップと、
バックグラウンドノイズを推定するステップと、
ラインと、入力信号の一部分との間に高い相関が存在する場合、ウィンドバフェットを検出するステップと、
該入力信号における該ウィンドバフェットを緩和するステップと
を包含する、方法。
【請求項２５】
前記バックグラウンドノイズを推定する作業は、過渡が検出されなかった場合、該バックグラウンドノイズを推定するステップを包含する、請求項２４に記載の方法。
【請求項２６】
前記ウィンドバフェットを緩和する作業は、前記入力信号から前記ウィンドバフェットを実質的に除去するステップを包含する、請求項２４に記載の方法。
【請求項２７】
入力信号からウィンドバフェットを除去する方法であって、
時間変化信号を複素スペクトルに変換するステップと、
バックグラウンドノイズを推定するステップと、
ラインと、入力信号の一部分との間に高い相関が存在する場合、ウィンドバフェットを検出するステップと、
該入力信号から該ウィンドバフェットを除去するステップと
を包含する方法。
【請求項２８】
ウィンドと関連したノイズの検出を制御するソフトウェアを有する信号搬送媒体であって、
音波を電気信号に変換する検出器と、
該電気信号を第１の領域から第２の領域に変換するスペクトル変換ロジックと、
該ウィンドと関連した該音波の一部分をモデリングする信号解析ロジックと、
を備える、信号搬送媒体。
【請求項２９】
前記ノイズによってマスキングされる音声信号の一部分を導出するロジックをさらに備える、請求項２８に記載の信号搬送媒体。
【請求項３０】
前記音波の部分を減衰させるロジックをさらに備える、請求項２８に記載の信号搬送媒体。
【請求項３１】
低周波数範囲におけるパワーを制限するように動作可能な減衰器ロジックをさらに備える、請求項２８に記載の信号搬送媒体。
【請求項３２】
前記検出器によって感知された連続的または周囲ノイズを測定するノイズ推定ロジックをさらに備える、請求項２８に記載の信号搬送媒体。
【請求項３３】
パワーの増大が検出された場合、前記推定ロジックをディセーブルにする過渡ロジックをさらに備える、請求項３２に記載の信号搬送媒体。
【請求項３４】
前記信号解析ロジックは、オーディオシステムに接続される、請求項２８に記載の信号搬送媒体。
【請求項３５】
前記信号解析ロジックは、前記ウィンドと関連した前記音波のみをモデリングする、請求項２８に記載の信号搬送媒体。